(57)【要約】【課題】  薬剤包装材が透明または反っているような場合でも該薬剤包装材に記載された文字、記号等を認識するするための画像を精度よく取得することができるようにして薬剤名の認識率を大幅に向上させた薬剤画像読取装置を提供する。【解決手段】  検査対象である薬剤包装材が置かれる画像読取装置１０の画像読取窓１３に開閉自在な蓋部２０を設け、この蓋部２０を閉じた状態で、蓋部２０に設けられた弾性体からなる押さえ部材２１の平坦部２１ａで薬剤包装材の薬剤が収容される本体部を押さえ、Ｌ字形凸部２１ｂで皺や反りが出やすい薬剤包装材の２辺の端部を押さえ、この状態で、薬剤包装材をカメラ１４で撮影する。また、押さえ部材２１の画像読取窓１３に対向する面を反射板として機能するように白色の部材等で形成する。【選択図】  図２
2005258681.tif 000002
【特許請求の範囲】
【請求項１】
薬剤が収容された薬剤包装材を画像読取窓に載置し、該薬剤包装材の画像を該画像読取窓を介してカメラで撮影し、該カメラの撮影画像に基づき該薬剤包装材に記載された文字、記号等を認識する薬剤画像読取装置において、
前記画像読取窓に前記薬剤包装材の端部を選択的に押さえる押さえ部材を有する開閉自在の蓋部を設けた
ことを特徴とする薬剤画像読取装置。
【請求項２】
前記押さえ部材は、
前記画像読取窓に載置された薬剤包装材の２つの辺に対応した略Ｌ字形の凸部を有する
ことを特徴とする請求項１記載の薬剤画像読取装置。
【請求項３】
前記凸部は、
弾性材から形成される
ことを特徴とする請求項２記載の薬剤画像読取装置。
【請求項４】
前記蓋部は、
前記画像読取窓に対向する面が反射部材から形成される
ことを特徴とする請求項１乃至３のいずれかに記載の薬剤画像読取装置。
【発明の詳細な説明】
【技術分野】
【０００１】
本発明は、薬剤が収容された薬剤包装材に記載された文字、記号等を認識するための画像を取得する薬剤画像読取装置に関し、特に、薬剤包装材が透明または反っているような場合でも精度よく画像を取得することができるようにした薬剤画像読取装置に関する。
【背景技術】
【０００２】
最近、同出願人は、病院などの薬局、或いは調剤薬局におけるピッキング作業や監査作業における調剤ミスを簡単かつ確実に防止可能な薬剤認識装置（特許文献１参照）を提案している。  
この薬剤認識装置においては、カプセルや錠剤を包装するＰＴＰ（Press Through Package）シートや、紛薬や座薬を包装するアルミフィルム材などの薬剤包装材を画像読取窓に載置またはかざして下方から光を照射し、これをカメラで撮影して薬剤包装材の反射画像を取得し、この画像に基づきこの薬剤包装材に印刷された文字や記号などを認識して薬剤名を特定し、この特定した薬剤名が処方すべき薬剤であるか否かなどを処方箋情報などを参照してチェックするものである。
【０００３】
ところが、上述の薬剤認識装置においては、
１）薬剤包装材が透明であると、下方から照射する光が薬剤包装材を透過してしまい、これにより薬剤名を識別するのが困難あるいは不可能となる場合がある
２）薬剤包装材の端部に皺や反りがあるとこれにより薬剤名を識別するのが困難あるいは不可能となる場合がある
という問題があった。
【０００４】
すなわち、薬剤包装材が透明のパッケージ（ＰＴＰシートが透明のものや、粉末状の散剤を包装する包装材であって透明なものなど）であると、下方から照射する光が薬剤包装材を透過してしまい、図４の上段部（ａ），（ｂ），（ｃ）に示すように、そのパッケージに印刷されている文字や数字などがかすんだ或いは全く読取れない画像として取得され、これにより薬剤名を識別するのが困難あるいは不可能となる。
【０００５】
また、薬剤包装材が皺や反りが出やすいパッケージ（ＰＴＰシートや、アルミフィルムや、散剤等を包装する袋材など）の場合で、薬剤包装材の端部に皺や反りがあると、図５の左部の（ａ）に示すように、薬剤包装材の端部に印刷されている文字や記号などに照射光のむらによる陰が発生し、また、反り具合によっては上記陰以外にもパッケージの包装端に印刷されている文字や数字などが歪んだり或いは全く読取れない画像として取得され、これにより薬剤名を識別するのが困難あるいは不可能となる。
【特許文献１】特願２００２−３３９５３７号
【発明の開示】
【発明が解決しようとする課題】
【０００６】
上述の如く、従来の薬剤認識装置にあっては、薬剤包装材が透明のパッケージまたは端部に皺や反りが出やすいパッケージであると、この薬剤包装材で包装されている薬剤の薬剤名を認識するのは困難であったり或いは薬剤名を認識するのは不可能であったりする場合が発生した。
【０００７】
そこで、本発明は、薬剤包装材が透明または反っているような場合でも該薬剤包装材に記載された文字、記号等を認識するための画像を精度よく取得することができるようにして薬剤名の認識率を大幅に向上させた薬剤画像読取装置を提供することを目的とする。
【課題を解決するための手段】
【０００８】
上記目的を達成するため、請求項１の発明は、薬剤が収容された薬剤包装材を画像読取窓に載置し、該薬剤包装材の画像を該画像読取窓を介してカメラで撮影し、該カメラの撮影画像に基づき該薬剤包装材に記載された文字、記号等を認識する薬剤画像読取装置において、前記画像読取窓に前記薬剤包装材の端部を選択的に押さえる押さえ部材を有する開閉自在の蓋部を設けたことを特徴とする。
【０００９】
また、請求項２の発明は、請求項１の発明において、前記押さえ部材は、前記画像読取窓に載置された薬剤包装材の２つの辺に対応した略Ｌ字形の凸部を有することを特徴とする。
【００１０】
また、請求項３の発明は、請求項２の発明において、前記凸部は、弾性材から形成されることを特徴とする。
【００１１】
また、請求項４の発明は、請求項１乃至３のいずれかの発明において、前記蓋部は、前記画像読取窓に対向する面が反射部材から形成されることを特徴とする。
【発明の効果】
【００１２】
本発明によれば、薬剤包装材が透明のパッケージ（ＰＴＰシートが透明のものや、粉末状の散剤を包装する包装材であって透明なものなど）または皺や反りが出やすいパッケージ（ＰＴＰシートや、アルミフィルムや、散剤等を包装する袋材など）であっても、薬剤包装材に記載された文字、記号等を認識するための画像を精度よく取得することができ、これにより薬剤名の認識率を大幅に向上させることができる。
【発明を実施するための最良の形態】
【００１３】
以下、本発明に係わる薬剤画像読取装置の実施例を添付図面を参照して詳細に説明する。
【００１４】
図１は、本発明の薬剤画像読取装置を適用した薬剤認識システム１００の外観概略構成を示す図である。
【００１５】
この薬剤認識システム１００においては、同出願人が既に出願した特願２００２−３３９５３７号に示した薬剤認識システムと同様の処理を行う。すなわち、画像認識処理装置２に、薬剤包装材に印刷された薬剤名を認識するための複数の参照画像を予め記憶し、画像読取装置１０で撮影した画像と上記予め記憶している参照画像とを照合処理し、該照合処理結果に基づき当該薬剤の薬剤名を認識処理する。
【００１６】
具体的には、カプセルや錠剤を包装するＰＴＰ（Press Through Package）シートや紛薬や座薬を包装するアルミフィルム材等の薬剤包装材の画像を画像読取装置１０により取得し、該取得した画像を通信線３０を経由して画像認識処理装置４０に送信し、該画像に基づき薬剤包装材に印刷されている文字や記号などをで認識して薬剤名を特定し、処方箋情報などを参照して処方すべき薬剤であるか否かなどのチェックを行うものである。
【００１７】
本発明は、上記薬剤認識システム１００に適用されるもので、その特徴は、薬剤包装材に印刷されている文字や記号など認識率を大幅に向上させるために、画像読取装置１０に、新規な蓋部２０を設けたことにある。
【００１８】
図２は、図１に示した画像読取装置１０に設けられた蓋部２０の外観構成を示す図であり、図２においては、蓋部２０を開けた状態を示している。
【００１９】
また、図３（ａ）は、図２に示した画像読取装置１０の画像読取窓１３上に検査対象である薬剤包装材を載置した状態を示し、図３（ｂ）は、図２に示した蓋部２０を閉じた場合の薬剤の押さえ込み状態の様子を示す図である。
【００２０】
図２および図３において、この画像読取装置１０は、透明なガラス等からなる画像読取窓１３上に検査対象である薬剤包装材を載置し、この薬剤包装材の下面に画像読取窓１３を介して照明光を照射し、薬剤包装材の下面からの反射光をカメラ１４で撮影することにより薬剤包装材の下面の画像を取得する。
【００２１】
ここで、画像読取窓１３はこの画像読取装置１０の上面カバー１２に設けられており、また、ガイド部１１は、薬剤包装材からの画像の取得に際して薬剤包装材をガイドするものである。
【００２２】
画像読取窓１３には、該画像読取窓１３に対して開閉自在に取り付けられた蓋部２０が設けられており、この蓋部２０の画像読取窓１３に対向する面には押さえ部材２１が設けられている。
【００２３】
押さえ部材２１は、薬剤包装材を押さえるために、例えばスポンジ等の弾性材から構成され、平坦部２１ａとＬ字形凸部２１ｂとを有している。ここで、押さえ部材２１を弾性材で形成した理由は、薬剤包装材を傷めずに押さえるためであり、蓋部２０を画像読取窓１３側に閉じた状態で、平坦部２１ａで薬剤包装材の本体部分を押さえ、Ｌ字形凸部２１ｂで皺や反りが出やすい薬剤包装材の２辺の端部を押さえるように構成されている。
【００２４】
すなわち、蓋部２０のＬ字形の凸部２１ｂは、蓋部２０を閉じた状態で、Ｌ字形凸部２１ｂがガイド部１１の端部に位置するように形成されており、図３（ａ）に示すように、蓋部２０を閉じた状態で、このＬ字形凸部２１ｂにより皺や反りが出やすい薬剤包装材の２辺の端部を押さえる。
【００２５】
なお、押さえ部材２１の凸部２１ｂをＬ字形に形成した理由は、サイズの異なる種々の薬剤包装材の画像を取得することができるようにするためである。
【００２６】
また、押さえ部材２１においては、Ｌ字形凸部２１ｂを平坦部２１ａと段差があるように構成したのは、例えば、ＰＴＰシートで包装されている薬剤包装材では、薬剤名を特定可能な情報が印刷されているＰＴＰシートの裏側はフラット（平ら）であるが、表側には、薬剤が収容されているので、この差分を吸収するためである。
【００２７】
また、粉末状の散剤を包装している袋状の包装薬剤においては、粉末状の散剤が封入されている部分が膨らむので、この膨らみ部分による差分を吸収するためである。
【００２８】
意識してである。
【００２９】
また、押さえ部材２１の画像読取窓１３に対向する面は、反射板として機能するように、例えば、白色の部材で形成されている。
【００３０】
これは、例えば、薬剤包装材が透明のＰＴＰシートや透明の袋状の包装材である場合でも薬剤包装材に印刷されている文字や記号などの画像を確実に得ることができるようにするためである。
【００３１】
すなわち、薬剤包装材が透明のＰＴＰシートや透明の袋状の包装材である場合に、上記蓋部２０がないと、画像読取窓１３を介して薬剤包装材の裏面に照射される照明光は、薬剤包装材を透過してしまい、その結果、照明光が透過した部分は撮影画像では黒い画像として現れ、薬剤名を特定可能な文字や数字などがその黒い画像の部分に含まれていると、図４の上段部の（ａ）、（ｂ）、（ｃ）に示すように、文字や記号の部分が黒いバックグランドと同化し、薬剤名の認識が困難になる。
【００３２】
しかし、本実施例のように、押さえ部材２１の画像読取窓１３に対向する面を反射板として機能するように白色の部材等で形成すると、薬剤包装材を透過した光は、押さえ部材２１の画像読取窓１３に対向する面で反射されるので、バックグランドが明るくなり、文字や記号部分とのコントラストを高めることができ、これによって、図４の下段部の（ｄ）、（ｅ）、（ｆ）に示すように、鮮明な画像を得ることができる。
【００３３】
このような構成において、検査人が薬剤の調剤検査を行う場合、検査人は、図３（ａ）に示すように、蓋部２０が開いている状態で、検査対象の薬剤包装材をガイド部１１に沿って画像読取窓１３に置く。
【００３４】
そして、蓋部２０を閉じると、図３（ｂ）に示すように、蓋部２０に設けられた押さえ部材２１の平坦部２１ａで薬剤包装材の本体部分（薬剤が収容されている部分）を押さえ、Ｌ字形凸部２１ｂで皺や反りが出やすい薬剤包装材の２辺の端部を押さえる。
【００３５】
この状態で、図示しない画像取り込みスイッチ等を押下することにより、薬剤包装材の裏面をカメラ１４で撮影し、薬剤包装材の裏面の画像を取得する。
【００３６】
これにより、例えば、薬剤包装材の端部に皺や反りがあっても図５の右部の（ｂ）に示すように鮮明な画像を取得することができる。
【００３７】
なお、図５の左部の（ａ）示す画像は、上記蓋部２０の押さえ部材２１を設けなかった場合（スポンジ押さえ無し）で、薬剤包装材の端部に反りがある場合の取得画像を比較するために示したものである。
【００３８】
また、薬剤包装材が透明のＰＴＰシートや透明の袋状の包装材である場合には、押さえ部材２１の反射機能により、文字や記号部分とのコントラストを高めることができるので、図４の下段部の（ｄ）、（ｅ）、（ｆ）に示すように、鮮明な画像を得ることができる。
【００３９】
このような構成によると、皺や反りが生じた薬剤包装材や、透明な薬剤包装材、さらには、皺や反りが生じ透明な薬剤包装材からも画像を精度良く読取ることができ、それにより、薬剤名の認識率を大幅に向上させることができる。
【００４０】
なお、本実施例の画像読取装置１０において、薬剤包装材からの画像取得に際して、図３の（ｂ）に示した状態で、図示しない画像取り込みスイッチ等の押下により薬剤包装材から画像を取得するように構成したが、蓋部２０が画像読取窓１３側に閉じられたことを検出する機械的スイッチまたは光学スイッチを設け、この機械的スイッチまたは光学スイッチの検出出力に基づき薬剤包装材からの画像の取得を自動的に行うように構成してもよい。
【産業上の利用可能性】
【００４１】
画像読取装置で撮影した薬剤包装材の画像に基づきこの薬剤包装材に収容される薬剤の薬剤名を認識処理する薬剤認識システムの画像読取装置に適用可能である。本発明によれば、薬剤包装材が反っていたり透明な場合でも薬剤包装材に記載された文字、記号等を認識するための画像を精度よく取得することができ、これにより薬剤名の認識率を大幅に向上させることができる。
【図面の簡単な説明】
【００４２】
【図１】本発明の薬剤画像読取装置を適用した薬剤認識システムの外観概略構成を示す図である。
【図２】図１に示した画像読取装置に設けた蓋部の外観構成を示す図である。
【図３】図２に示した蓋部を閉じた場合の薬剤包装材の押さえ込み状態の様子を示す図である。
【図４】押さえ部材の平坦部の反射板機能による効果を示す図である。
【図５】押さえ部材のＬ字形凸部の押さえ込みによる効果を示す図である。
【符号の説明】
【００４３】
１００…薬剤認識システム
１０…画像読取装置
１１…ガイド部
１２…上面カバー
１３…画像読取窓
１４…カメラ
２０…蓋部
２１…押さえ部材
２１ａ…平坦部
２１ｂ…Ｌ字形凸部
【図１】
2005258681.tif 000003
【図２】
2005258681.tif 000004
【図３】
2005258681.tif 000005
【図４】
2005258681.tif 000006
【図５】
2005258681.tif 000007